(57)【要約】      （修正有）【課題】パソコンの消費電力量の低減化に関する電源供給装置を提供する。【解決手段】商用電源からの電力供給により駆動するパソコンにおける蓄電量コントローラ１４が、ＣＰＵ１１の信号により蓄電器本体３０に蓄電された電気容量を監視し、ＣＰＵ１１を介して切替えスイッチ１５をＯＦＦに切替、商用電源に代えて人力発電その他により発電した電力を蓄電する蓄電器本体３１から、パソコンへ電力を供給することを特徴とする。【選択図】図１
0003142712.tif 000002
【実用新案登録請求の範囲】
【請求項１】
商用電源からの電力供給により駆動するパソコンにおいて、
該パソコンへ電力を供給する電力を蓄電するパソコン用蓄電器と、
該パソコン用蓄電器に蓄電した電力量を算出する蓄電量算出装置と、
前記蓄電器に所定量の電力量が蓄電したことを確認する蓄電量確認装置と、
を備え、
少なくとも前記蓄電量確認装置が前記パソコン用蓄電器に所定量の電力量が蓄電したことを確認ときは、前記パソコンへの商用電源からの電力供給に代えて、前記所定量の電力量を蓄電した前記パソコン用蓄電器から前記パソコンへ電力を供給することを特徴とするパソコンの電源供給装置。
【請求項２】
商用電源からの電力供給により駆動するパソコンにおいて、
該パソコンへ電力を供給する電力を蓄電するパソコン用蓄電器と、
該パソコン用蓄電器に蓄電した電力量を算出する蓄電量算出装置と、
前記パソコン用蓄電器に所定量の電力量が蓄電したことを確認する蓄電量確認装置と、
を備え、
前記蓄電量確認装置が前記パソコン用蓄電器に所定量の電力量が蓄電したことを確認ときは、前記パソコンへの商用電源からの電力供給に代えて、前記所定量の電力量を蓄電した前記パソコン用蓄電器から前記パソコンへ電力を供給するとともに、前記パソコン用蓄電器の電力容量を前記パソコンの表示装置へ表示することを特徴とする請求項１記載のパソコンの電源供給装置。
【請求項３】
前記パソコン用蓄電器への電力の蓄電を手動式発電装置及び／又は太陽電池とすることを特徴とする請求項１及び第２項記載のパソコンの電源供給装置。
【考案の詳細な説明】
【考案の詳細な説明】
【技術分野】
【０００１】本考案は、業務用及び家庭用パソコンの電源供給装置に関する。
【背景技術】
【０００２】現状、パソコンの省エネ化はエネルギー消費効率を基準として推進し、エネルギー消費効率は、消費電力をワット単位で表した数値を、複合理論性能をメガ演算単位で表した数値で除した数値とされている。このように、パソコンは、マイクロプセッサ（ＣＰＵ）の性能向上と併せて、パソコンの各構成部品の低消費電力化によって、省エネ化が推進されている。【０００３】今後も、パソコンの普及により、パソコン等の電子機器の省エネ化が推進される。
【背景技術】
【０００４】電気製品の商用電力に代わる電力供給装置として、手動式電源装置があるが、従来の手動式電源装置は、手動でロ−タを回転してステ−タ内のコイルに発電し、電灯の点灯整流器によるバッテリへ充電することができる手動式電源装置に関するものがあり（例えば、特許文献１参照。）、また、太陽電池、手動発電機の一方又は併用による発電装置のものがある（例えば、特許文献２参照。）。さらに、一般に市販されているものとして、ロータリー式発電よる携帯電話用手回し充電器があり、地震、災害時又は緊急時など電源がなくても、充電器のハンドルを回すことにより充電し、接続ケーブル及び携帯電話接続コネクタを介して携帯電話へ給電するものがある（例えば、非特許文献４参照。）。【０００５】特許文献１は、手動式電源装置に関する考案として開示されている。特許文献２は、電気二重層コンデンサの特性に着目し、太陽電池、手動発電機、外部電源と接続する外部電源接続部からなる電源部と、該電源部からの給電によって充電される電気二重層コンデンサを有する充電部との構成に関するものであり、太陽電池と手動発電機から充電部の電気二重層コンデンサに充電する技術である。非特許文献４は、携帯電話用手回し充電器の技術であり、これはロータリ式発電より地震、災害時又は緊急時など電源がなくても、充電器のハンドルを回すことにより、ラジオのＮｉ−ｃｄ／Ｎｉ−Ｍｈ単３型充電式電池２本に充電することが可能であり、携帯電話へは接続ケーブル及び携帯電話接続コネクタを介して給電するものである。特許文献３は、スイッチングレギュレータの変換効率に着目して電子機器の省電力化を図るものであり、スイッチングレギュレータにおける変換効率が低下する動作範囲の判定値が一定の値以上か否かを判別して、蓄電器（充電器）から電力を供給するものである。これに対して本考案は、パソコン用蓄電器に蓄電した電力量が所定量の電力量を蓄電したことを確認した場合は、商用電源に代えてパソコン用蓄電器からパソコン本体へ電力を供給することにより、パソコン単体の電力消費の低減化を図ることを特徴とする。
【特許文献１】特開平６−２１７４９４号公報
【特許文献２】特開２００７−２６７４６９公報
【特許文献３】特開２００８−５１５３公報
【非特許文献４】株式会社ミスズ「ダイナモ発電ラジオ型番ＲＧＥ−２」電子カタログ。
【考案の開示】
【考案が解決しようとする課題】
【０００６】従来のパソコンは、パソコンの省エネ化対策として、電源入力したパソコンを所定の時間動作しない場合は、スリープモードとして電力消費を最小限とする機能を備え省エネ化を図っている。また、パソコンやサーバなど、すべてのコンピュータは直流によって動作するため、商用コンセントから得た交流（ＡＣ）を直流（ＤＣ）に変換している。デスクトップパソコンでは内部に商用コンセントから１００Ｖ〜２２０Ｖの交流電流を直流電流に変換（Ａ／Ｄ変換）するための電源ユニットを設け、＋５Ｖから＋１２Ｖの直流電流がパソコン内部に出力されている。他方、ノートブックパソコンは、Ａ／Ｄ変換の電源ユニットをＡＣアダプタとして外部に接続し、内部に搭載している充電用バッテリに電力を供給し、これに電力を蓄えて使用している。【０００７】しかし、従来のパソコンは、スリープモードにより、パソコンを不使用の時間中は、消費電力を最小にすることは可能であるが、パソコン使用時は、一般家庭用電源又はＡＣアダプタを介しての電力供給が必要となり、業務用のパソコンにあっては、営業稼動時間帯には、多数のパソコンが電力を消費することとなる。すなわち、パソコンにおけるデシタル回路では信号が１か０で認識し、１クロックで１つの処理が行われることから、多くの情報を処理するためにはＣＰＵのクロック周波数を高速にする必要があり、ＣＰＵが高速クロックになる伴い消費電力も大きくなる。また、パソコン起動時には、オペレーテングシステム（ＯＳ）、個人認証、ウイルスチェック等アプリケーションソフトウェアが起動し、消費電力は瞬間的に増大する。業務用パソコンにおいては、業務開始の時間帯には業務用パソコンの電源がＯＮし、一定の時間帯に集中して膨大な電力を消費することとなる。このようにパソコンはＣＰＵの動作周波数と相関関係にあることから、ＣＰＵ性能が上がると最大消費電力も上がる。例えば、パソコン起動後に作業をしていない状態では消費電力は約６．２Ｗ、インターネットへのアクセスや作業をすると９０．９Ｗとなり、記憶装置へ記憶する場合は約９４．５Ｗになる。業務用パソコンの稼動時間を１日８時間で月当りの消費電力を試算すると、９０．９Ｗ×８時間×２０日＝１４，５４４Ｗ時間／月となる。このように、パソコンは今後もＣＰＵ性能の向上とともに市場での普及が増大することが予想されることから、パソコンの節電対策は喫緊の課題となっている。
本発明の目的は、人力により蓄電した蓄電器の電力をパソコンへ供給することによって、商用電力からの電力供給の削減を図るためにパソコンが自動的に電力供給を制御し、パソコン単体の電力消費量を絶対的に低減させる機能を備えることにより、パソコン単体の省エネ化を高めることである。また、人力だけでなく、太陽電池と併用することによって、蓄電器への電力供給量を増大させ、パソコンへの商用電力からの電力供給時間を抑制し、パソコン単体の電力消費の低減をさらに高めることを目的とする。例えば、人為的にパソコンの起動時の一定時間等のように簡単かつきめこまやかに本発明に係る蓄電器に電力を蓄電し、一定時間、商用電力に代用して電力を供給できるパソコンを提供することを目的とする。
【課題を解決するための手段】
【０００８】請求項１の考案は、商用電源からの電力供給により駆動するパソコンにおいて、該パソコンへ電力を供給する電力を蓄電するパソコン用蓄電器と、該パソコン用蓄電器に蓄電した電力量を算出する蓄電量算出装置と、前記蓄電器に所定量の電力量が蓄電したことを確認する蓄電量確認装置とを備え、少なくとも前記蓄電量確認装置が前記パソコン用蓄電器に所定量の電力量が蓄電したことを確認ときは、前記パソコンへの商用電源からの電力供給に代えて、前記所定量の電力量を蓄電した前記パソコン用蓄電器から前記パソコンへ電力を供給することを特徴とする。
請求項２の考案は、商用電源からの電力供給により駆動するパソコンにおいて、該パソコンへ電力を供給する電力を蓄電するパソコン用蓄電器と、該パソコン用蓄電器に蓄電した電力量を算出する蓄電量算出装置と、前記パソコン用蓄電器に所定量の電力量が蓄電したことを確認する蓄電量確認装置とを備え、前記蓄電量確認装置が前記パソコン用蓄電器に所定量の電力量が蓄電したことを確認ときは、前記パソコンへの商用電源からの電力供給に代えて、前記所定量の電力量を蓄電した前記パソコン用蓄電器から前記パソコンへ電力を供給するとともに、前記パソコン用蓄電器の電力容量を前記パソコンの表示装置へ表示することを特徴とする。
請求項３の考案は、前記パソコン用蓄電器への電力の蓄電を手動式発電装置及び／又は太陽電池とすることを特徴とする。
【考案の効果】
【０００９】本考案により、パソコンが当該パソコンへ電力供給する蓄電器に蓄電した電力量を自動的に算出し、蓄電器に蓄電した電力量が所定の容量に達したときは、パソコンへの商用電源からの電力供給に代えて、所定量の電力量を蓄電した蓄電器から当該パソコンへこまめに電力を供給することを可能とし、パソコン単体の電力消費を削減できる効果を奏する。また、本考案により、パソコンのプログラムにより、パソコンへの商用電源からの電力供給に代えて、所定量の電力量を蓄電した蓄電器からパソコンへ電力を供給を制御できることから、パソコン設計時における低消費電力の部品や機能の導入と併せて、省エネ化を更に推進できる効果を奏する。
【考案を実施するための最良の形態】
【００１０】以下に、本考案に係るパソコン用電源供給装置の実施形態を説明する。本考案に係るパソコンはパーソナルコンピュータの略称であり、パソコンは大別して、デスクトップパソコンとノートブックパソコンに分類される。図１は、本考案に係るパソコンの実施形態を示すブロックである。まず、本考案に係るパソコンは、プログラムの読込み、演算、データ加工処理を実行する中央処理装置（ＣＰＵ）と、ＣＰＵが処理実行するプログラムやデータを一時的に蓄積し、高速に読み書き可能な主記憶装置（ＲＡＭ）と、ＲＡＭへ本考案に係るプログラムやデータの転送し、本考案に係るプログラムやデータを記憶する外部記憶装置（ＦＤＤ，ＨＤＤ，ＣＤ−Ｒ，ＤＶＤ）を有し、ＣＰＵは、外部バスやインタフェースを介して入力装置、表示装置、ネットワークやメールを接続する通信装置、外部記憶装置、プリンタ等の周辺装置と接続されている。そして本考案に係るパソコンは、外部記憶装置に記録した本考案に係るデータやプログラムを処理加工用として順次ＲＡＭへ読込み、表示演算・処理・加工を実行し、順次、演算・処理・加工し、プログラムは蓄電器に所定量の電力量が蓄電したことを確認し、パソコンへの商用電源からの電力供給を停止し、蓄電器からパソコンへ電力を供給を実行し、それらによる処理した結果は、外部記憶装置に記録し、液晶モニタ等の表示装置に表示し、プリンタによるプリントアウトし、さらには電子メールとしてデータ送信する機能を備えている。【００１１】図１において、１０は本考案のパソコン本体、Ａは商用コンセント、１１はＣＰＵ、１２はＲＡＭ、１３はＲＯＭ、１４は蓄電量コントローラ、１５は切替えスイッチ、１６は電源装置回路であり、１７はインターフェース、１８は外部記憶装置、１９表示装置、２０は入力装置、２１は通信装置、２２はプリンタである。３０は蓄電器本体であり、３１は蓄電器、３２は表示ランプ、４０は、蓄電器用電源発電装置、４１は人力発電装置、４２は太陽電池である。本考案に係るパソコン本体１０への電力は、商用コンセントＡから、切替えスイッチ１５、電源装置回路１６を介してＣＰＵ１１、ＲＡＭ１２、ＲＯＭ１３、蓄電量コントローラ１４等のパソコン本体１の内部電子回路へ供給し、さらにインターフェース１７、外部記憶装置１８、入力装置２０、は通信装置２１へと供給される。そして、表示装置１９と出力装置２２は、それぞれ商用電源Ａから別途電力が供給されるようになっている。また、図１は、本考案に係るパソコン本体１０への電力は、商用コンセントＡからＡＣアダプタを介して切替えスイッチ１５、電源装置回路１６、そしてＣＰＵ１１、ＲＡＭ１２、ＲＯＭ１３、蓄電量コントローラ１４等のパソコン本体１の内部電子回路へ供給する実施例を示している。【００１２】本考案の電源装置回路１６は、商用コンセントＡからは交流電流（ＡＣ）が供給されるため、交流電流を直流電流（ＤＣ）に変換する回路であり、商用コンセントＡから１００Ｖ〜２２０Ｖの交流電流を直流電流に変換（Ａ／Ｄ変換）させて、＋５Ｖから＋１２Ｖの直流電流をパソコン本体１の内部に供給される。【００１３】本考案の切替えスイッチ１５は、商用コンセントＡからの電力供給を代えるスイッチであり、通常は、パソコン本体１へ電力が供給できるようにＯＮに設定してある。図１では切替えスイッチ１５が電源装置回路１６と分けて記載しているが、切替えスイッチ１５を電源回路１６に内蔵させる構成にしてもよい。【００１４】本考案の蓄電量コントローラ１４は、ＣＰＵ１１から信号により蓄電器本体３０に蓄電された蓄電の電気容量を監視・制御する装置である。蓄電器本体３０に蓄電された数値的蓄電容量を読取り、その値が、プログラムで設定した所定の蓄電容量に達した場合は、ＣＰＵ１１を介して切替えスイッチ１５をＯＦＦに切替える。【００１５】切替えスイッチ１５がＯＦＦに切替わると、商用コンセントＡからの電力供給が停止し、パソコン本体１へは、蓄電器本体３０に蓄電された電力が供給される。本考案の蓄電器の蓄電容量では供給時間を１時間とし、商用コンセントＡからは、その約１時間分の電力供給に代替でき、省エネを実効する。【００１６】パソコン本体１０内部へは、常時、＋５Ｖから＋１２Ｖの直流電流を必要とすることから、いわゆる瞬間停電を防止しなければならない。このため、蓄電器本体３０に蓄電された蓄電容量がゼロに近い値になった場合は、商用コンセントＡからの電力に供給できるようにプログラムで設定し、ＣＰＵ１１を介して切替えスイッチ１５はＯＦＦからＯＮに切替わるようになっている。【００１７】蓄電器本体３０の蓄電器３１に蓄電された蓄電容量は、表示ランプ３２により蓄電容量の目視確認ができる。蓄電容量が１０％以下になった場合は、赤色ランプが点滅表示し、１０％以上の容量の場合は、青色ランプで表示される。【００１８】本考案に係るパソコンの主電源が電源ＯＮし、本考案の蓄電量コントローラ１４が、ＣＰＵ１１の信号により蓄電器本体３０に蓄電された蓄電の電気容量を監視・制御し、蓄電器３１に蓄電された数値的蓄電容量を読取り、その値が、プログラムで設定した所定の蓄電容量に達した場合は、ＣＰＵ１１を介して切替えスイッチ１５をＯＦＦに切替える場合の動作例を説明する。【００１９】以下、図２に示すフローチャートにより動作例を説明する。主電源をＯＮし（Ｓ１００）、次に蓄電量コントローラ１４は蓄電器３１の蓄電量が１０％を超えているかどうかを確認する（Ｓ１１０）。蓄電量が１０％以下の場合（ＮＯ）は、切替スイッチ１５はＯＮになり（Ｓ１２０）、商用コンセントＡから電力が供給される（Ｓ１３０）。蓄電器３１の蓄電量が１０％を超えた場合は（ＹＥＳ）、切替スイッチ１５はＯＦＦになり（Ｓ１４０）、商用コンセントＡからの電力に供給に代わり、蓄電器３１から電力を供給する（Ｓ１５０）。【００２０】他方、蓄電量コントローラ１４は、蓄電器３１から電力が供給している場合（Ｓ１５０）は、蓄電量が１０％を以下になっているかどうかを確認する（Ｓ１１０）。蓄電器３１の蓄電量が１０％以上の場合（ＹＥＳ）は、切替スイッチ１５はＯＦＦのままとなり、蓄電器３１からの電力が供給された状態となる。そして、蓄電器３１の蓄電量が１０％以下となった場合（ＮＯ）は、切替スイッチ１４はＯＮとなり、蓄電器３１からの電力が供給に代わり、商用コンセントＡからの電力が供給される（Ｓ１３０）。【００２１】本考案は、蓄電量コントローラ１４は、商用コンセントＡからの電力が供給されている状態において、蓄電器３１に蓄電容量が１０％を超えているかどうかを監視する。【００２２】また、本考案は、商用コンセントＡからの電力が供給に代えて蓄電器３１から電力が供給されている状態においては、蓄電器３１に蓄電容量が１０％以下になったかどうかを監視する。【００２３】また、蓄電器３１からの電力供給は、蓄電量コントローラ１４なしに、パソコン１０が、蓄電器３１に蓄電した電力量を算出し、蓄電器３１に蓄電容量が１０％以下になったことを確認したときは、パソコン１０への商用コンセントＡからの電力供給を停止し、蓄電器３１からパソコン１０へ電力を供給するプログラムをＲＯＭ１３に記録させ、パソコン１０に読み取らせるようにしてもよい。【００２４】その実施動作例を図３に基づき説明する。主電源をＯＮによりプログラムがスタート（Ｓ２００）。次に蓄電器３１の蓄電量が１０％を超えているかどうかを確認する（Ｓ２１０）。蓄電量が１０％を超えていない場合は（ＮＯ）、商用コンセントＡからの電力を供給する（Ｓ２２０）。蓄電量が１０％を超えた場合は（ＹＥＳ）、商用コンセントＡからの電力に供給に代えて、蓄電器３１から電力を供給する（Ｓ２３０）。【００２５】他方、蓄電器３１から電力が供給している場合（Ｓ２３０）は、蓄電量が１０％を以下になっているかどうかを確認する（Ｓ２４０）。蓄電器３１の蓄電量が１０％以上の場合（ＮＯ）は、そのまま蓄電器３１からの電力が供給された状態となる。そして、蓄電器３１の蓄電量が１０％以下となった場合（ＹＥＳ）は、蓄電器３１からの電力が供給に代わり、商用コンセントＡからの電力が供給される（Ｓ２２０）。【００２６】蓄電池３１への蓄電は、手動による発電では腕力に個人差があり、蓄電作業に限界があるが、脚力の場合は腕力ほどの個人差は現われないため蓄電量をさらに増大できることから、脚力による蓄電でもよいものとする。手動発電ではアウターロータ型の出力３．２Ｗ三相交流発電機で直流出力約２．５Ｗが実現可能である。これによると、約１分間（毎分１２０〜１６０回転）で約１時間分の蓄電できる。【００２７】図４は、本考案に係る表示装置１９に表示される蓄電器３１からパソコン本体への電力を供給している場合の表示装置１９の表示画面の実施例である。画面には、蓄電器３１に蓄電している状況が一見して確認できるように表示する。フル充電の状態が１００％、そして、８０％、６０％、５０％、４０％、３０％、２０％、１０％、５％、４％、３％、２％、１％と目視できる。また、図５に示すように、残存量１０％に達したときは、点滅表示し蓄電器３１の蓄電容量が少なくなったことを警告できるようにする。【００２８】以下、本考案の表示装置１９の表示画面に表示される画面表示制御プログラムの動作例をフローチャート図７により説明する。主電源ＯＮによりプログラムがスタート（Ｓ３００）し、次に蓄電器３１の蓄電量が１０％を超えているかどうかを確認する（Ｓ３１０）。蓄電量が１０％を超えている場合は（ＹＥＳ）、表示装置１９のモニタ画面に例えばフル充電の表示例として「蓄電器電気容量１００％／１００％」「使用時間残２時間００分００秒」「警告表示  緑色���を表示し（Ｓ３３０）、モニタ画面には蓄電器３１から電力供給により、蓄電容量が次第に消費されている状態をリアルタイムに表示する。次に、蓄電量が１０％を以下になっているかどうかを確認する（Ｓ３４０）。蓄電器３１の蓄電量が１０％以上の場合は（ＮＯ）、そのまま蓄電器３１からの電力が供給された状態となり（Ｓ３２０）、他方、ステップ３２０において、蓄電器３１の蓄電量が１０％以下となった場合（ＹＥＳ）は、表示装置１９のモニタ画面に、例えば、「蓄電器電気容量１０％／１００％」「使用時間残００時間０２分００秒」「警告表示  赤色点滅」（Ｓ３５０）が表示される。
【考案の他の実施形態】
【００２９】本考案の他の実施形態は、人力発電装置４１と太陽電池４２の併用により発電した電流を蓄電器３１に蓄電し、パソコン本体１０へ供給する構成であり、商用コンセントＡ、ＣＰＵ１１、ＲＡＭ１２、ＲＯＭ１３、蓄電量コントローラ１４、切替えスイッチ１５、電源装置回路１６であり、インターフェース１７、外部記憶装置１８、表示装置１９、入力装置２０、通信装置２１、プリンタ２２、蓄電器本体３０、蓄電器３１、表示ランプ３２、そして、蓄電器用電源発電装置４０を人力発電装置４１と太陽電池４２とする構成である。
【００３０】本考案の表示画面の他の実施例として、図６に示すように、蓄電器３１への蓄電が、人力発電装置４１からの蓄電であるか又は太陽電池４２からの蓄電であるかが分かるように表示装置４１の画面に表示する。
人力発電装置からの蓄電容量  １０％２０％３０％４０％５０％６０％７０％８０％１００％
太陽電池からの蓄電容量      １０％２０％３０％４０％５０％６０％７０％８０％１００％
以下、本考案の表示装置１９の表示画面に表示される。
【００３１】以下、本考案の表示装置１９の表示画面に表示される画面表示制御プログラムの動作例をフローチャート図８により説明する。主電源をＯＮによりプログラムがスタートし（Ｓ４００）、蓄電器３１への電力供給が人力発電器であるかどうか判別（Ｓ４１０）し、次に蓄電器３１への人力発電が開始すると（ＹＥＳ）、表示装置１９の画面モニタに「人力発電機  蓄電容量表示  蓄電容量  ７０％／１００％」を表示し（Ｓ４２０）、人力発電以外の発電（Ｓ４１０）が開始すると（ＮＯ）、表示装置１９の画面モニタに「太陽電池  蓄電容量表示  蓄電容量  ３０％／１００％」を表示する（Ｓ４３０）。さらに、蓄電器３１の電気容量が１０％以下であるかを確認し（Ｓ４４０）、１０％を超えている場合（ＮＯ）は、発電器３１に備え付けたランプが赤色のランプを点灯し（Ｓ４６０）する。
【００３２】蓄電器３１には、人力発電装置４１と太陽電池４２の双方から電力が供給できることから、蓄電容量の増量できるとともに、蓄電器３１から自然放電があったとしても太陽電池４２から蓄電器３１へ電力が供給されるため、所望の電力量を維持することが可能である。
【考案の効果】
【００３３】コンピュータによる制御により、本考案に係る発電器からは、蓄電容量が一定以上に達したときには、きめこまやかに電力を供給することができ、パソコン単体の電力消費の低減化を図ることができる。
【図面の簡単な説明】
【００３４】
【図１】本考案の第１実施例を示すブロック図。
【図２】本考案に係る実施例を示すフローチャート図。
【図３】本考案に係る表示装置の画面表示の実施例図。
【図４】本考案に係る表示装置の画面表示の他の実施例図。
【図５】本考案に係る表示装置の画面表示の他の実施例図。
【図６】本考案に係る表示装置の画面表示の実施例図。
【図７】本考案に係る実施例を示すフローチャート図。
【図８】本考案に係る実施例を示すフローチャート図。
【符号の説明】
１０…本考案のパソコン本体
１１…ＣＰＵ
１２…ＲＡＭ
１３…ＲＯＭ
１４…蓄電量コントローラ
１５…切替えスイッチ
１６…電源装置回路
１７…インターフェース
１８…外部記憶装置
１９…表示装置
２０…入力装置
２１…通信装置
２２…プリンタ
３０…蓄電器本体
３１…蓄電器
３２…表示ランプ
４０…蓄電器用電源発電装置
４１…人力発電装置
４２…太陽電池
【図１】
0003142712.tif 000003
【図２】
0003142712.tif 000004
【図３】
0003142712.tif 000005
【図４】
0003142712.tif 000006
【図５】
0003142712.tif 000007
【図６】
0003142712.tif 000008
【図７】
0003142712.tif 000009
【図８】
0003142712.tif 000010